(57)【要約】【課題】  二種類の調整を一つのレンズ鏡筒で行う場合でも組み間違えの発生を防止することを可能にしたレンズ装置を提供することを提供すること。【解決手段】  第一のコロ部材と第二のコロ部材と、第一のコロ部材が嵌合する嵌合穴と、第二のコロ部材が嵌合する嵌合穴とを有する第一の筒部材と、 第一のコロ部材が植接される嵌合穴と、前記、第二のコロ部材が植接される嵌合穴とを有する第二の筒部材と、を有する構成において、第一の筒部材と第二の筒部材が第一のコロ部材と第二のコロ部材により固定され、第一の筒部材の第一のコロ部材が嵌合する嵌合穴は、第二のコロ部材が嵌合する嵌合穴より小さく、前記、第二の筒部材の第一のコロ部材が植接する嵌合穴は、第二のコロ部材が植接する嵌合穴より大きいことを特徴とする構成とした。【選択図】  図５
2013037306.tif 000002
【特許請求の範囲】
【請求項１】
第一のコロ部材と
第一のコロ部材と、 
第二のコロ部材と、 
前記、第一のコロ部材が嵌合する嵌合穴と、前記、第二のコロ部材が嵌合する嵌合穴とを有する第一の筒部材と、 
前記、第一のコロ部材が植接される嵌合穴と、前記、第二のコロ部材が植接される嵌合穴とを有する第二の筒部材とを有する構成において、 
前記、第一の筒部材と前記、第二の筒部材が前記第一のコロ部材と前記第二のコロ部材により固定され、 
前記、第一の筒部材の第一のコロ部材が嵌合する嵌合穴は、第二のコロ部材が嵌合する嵌合穴より小さく、 
前記、第二の筒部材の第一のコロ部材が植接する嵌合穴は、第二のコロ部材が植接する嵌合穴より大きい 
ことを特徴とするレンズ装置。 
【請求項２】
前記第一の筒部材と、 
前記第二の筒部材は、 
前記第一のコロ部材と前記第二のコロ部材により、 
光軸方向と光軸周り方向を規制されていることを特徴とする請求項１に記載のレンズ装置。
【発明の詳細な説明】
【技術分野】
【０００１】
本発明は、レンズ鏡筒と固定筒を複数種類のコロ部材で結合するレンズ装置に関し、特に複数種類のコロの誤組み防止に関するものである。
【背景技術】
【０００２】
従来、複数のレンズ群で構成されたレンズ光学系を有するレンズ装置では、レンズ単体やレンズ鏡筒内の部品精度のばらつきにより各レンズ群が光軸に対し傾く、光軸に対して平行偏芯を持つといった光学性能への劣化要素を持っていた。これらの劣化要素を調整する手法として予てより、レンズ群を保持するレンズ鏡筒とこのレンズ保持部材を支持する固定筒との間において、レンズ鏡筒が固定筒に対して移動可能となるように設定するものがある。この機構によりレンズ群の光軸に対する傾きや平行偏芯等を調整することができる。
【０００３】
例えば、特許文献１では光軸方向に傾けられたキー溝を有する固定筒の内側に、この固定筒に対し回動するカム筒によって光軸方向にカム駆動されるレンズ鏡筒を設ける。レンズ鏡筒には偏芯コロが光軸直行方向に三つ設けられており、偏芯コロの非偏芯部がカム筒に設けられたカム溝へと嵌っている。また、偏芯コロの偏芯部は固定筒に設けられたキー溝へと嵌合している。そしてこれらの構造により偏芯コロを回転させることにより、レンズ鏡筒の光軸の傾きを調整することができる手法が開示されている。
【先行技術文献】
【特許文献】
【０００４】
【特許文献１】特開２００２−１３１６０４号公報
【発明の概要】
【発明が解決しようとする課題】
【０００５】
上述の特許文献に開示された従来技術のような手法により、光軸に対しての傾き等を調整することができる。しかしながら近年の光学性能高精度化により、一つのレンズ鏡筒に対し光軸に対する傾きだけでなく光軸に対しての平行偏芯を調整するといった二種類の調整構造を行うことが求められるようになっている。これら二種類の調整は必要な調整量が異なる場合、異なる種類の偏芯コロで調整を行うこととなる。そうすると組み間違えが発生してしまう懸念がある。
【０００６】
そこで、本発明の目的は、二種類の調整を一つのレンズ鏡筒に対し行う場合でも組み間違えの発生を防止することを可能にしたレンズ装置を提供することである。
【課題を解決するための手段】
【０００７】
上記目的を達成するために、本発明は第一のコロ部材と第二のコロ部材と、第一のコロ部材が嵌合する嵌合穴と、第二のコロ部材が嵌合する嵌合穴とを有する第一の筒部材と、第一のコロ部材が植接される嵌合穴と、前記、第二のコロ部材が植接される嵌合穴とを有する第二の筒部材と、を有する構成において、第一の筒部材と第二の筒部材が第一のコロ部材と第二のコロ部材により固定され、第一の筒部材の第一のコロ部材が嵌合する嵌合穴は、第二のコロ部材が嵌合する嵌合穴より小さく、前記、第二の筒部材の第一のコロ部材が植接する嵌合穴は、第二のコロ部材が植接する嵌合穴より大きいことを特徴とする。
【発明の効果】
【０００８】
本発明によれば二種類のコロを一つのレンズ鏡筒に設ける場合でも組み間違えの発生を防止することを可能にしたレンズ装置を提供することができる。
【図面の簡単な説明】
【０００９】
【図１】本発明に係る実施例のレンズ装置におけるレンズ鏡筒の構成を示す図
【図２】本発明に係る実施例のレンズ装置におけるコロ箇所の光軸に垂直な断面図
【図３】本発明に係る実施例のレンズ装置における図２のコロ箇所拡大図
【図４】本発明に係る実施例のレンズ装置におけるコロ箇所の側面拡大図
【図５】本発明に係る実施例のレンズ装置におけるコロの単独図
【発明を実施するための形態】
【００１０】
以下に、本発明の好ましい実施の形態を、図１〜図５に基づいて詳細に説明する。
【００１１】
［実施例］
図１は本発明のレンズ装置における光軸方向の断面図となっている。図２は偏芯コロ箇所の光軸に垂直な断面図となっている。また、図３は図２の偏芯コロ箇所拡大の図となっている。図４は偏芯コロ箇所側面の拡大図となっている。図５は二種類の偏芯コロの単独図となっている。
【００１２】
レンズ１、レンズ２はレンズ鏡筒３により保持されており、レンズ鏡筒３にはコロ座穴３a、３bが光軸周り等分に三つ設けられている。第一偏芯コロ部材５は非偏芯径５aがコロ座穴３aに嵌合し、ビス６により光軸周り等分に三つレンズ鏡筒３に植接されている。第二偏芯コロ部材７は非偏芯径７aがコロ座穴３bに嵌合しビス８により光軸周り等分に三つレンズ鏡筒３に植接されている。４は固定筒であり、周方向に延びた長穴４a、光軸方向に延びた長穴４bが設けられている。そして、図４に示されているように、第一偏芯コロ５の偏芯径５bが長穴４aに光軸方向で径合しており、第二偏芯コロ７の偏芯径７bが長穴４bに周方向で径合している。このようにして、レンズ鏡筒３と固定筒４は、第一偏芯コロ５により光軸方向が、第二偏芯コロ７により周方向が径合されることにより一体化される構造となっている。
【００１３】
第一偏芯コロ５を用いた光学調整の方法について説明する。第一偏芯コロ５のスリワリ５cに不図示の工具を嵌め、工具を回転させる。そうすることで、第一偏芯コロ５は偏芯径５bが固定筒４の４aに光軸方向で径合、非偏芯径５aがレンズ鏡筒３のコロ座穴３aに全周嵌合しているので、固定筒４に対し、レンズ鏡筒３を傾ける調整が可能となる。また、第二偏芯コロ７の偏芯径７bが径合する固定筒４の長穴４bは光軸方向に延びた形状であるので第一偏芯コロ５による調整により拗れることはない。
【００１４】
次に第二偏芯コロ７を用いた光学調整の方法について説明する。第二偏芯コロ７のスリワリ７cに不図示の工具を嵌め、工具を回転させる。そうすることで、第二偏芯コロ７は偏芯径７bが固定筒４の長穴４bに周方向で径合、非偏芯径７aがレンズ鏡筒３のコロ座穴３bに全周嵌合していので、固定筒４に対しレンズ鏡筒３を平行偏芯する調整が可能となる。また、第一偏芯コロ５の偏芯径５bが径合する固定筒４の長穴４aは周方向に延びた形状であるので第二偏芯コロ７による調整により拗れることはない。なお、レンズ鏡筒３と固定筒４は前述の調整により干渉しないよう調整量以上の十分なクリアランスが設けられている。本実施例レンズ装置の第一偏芯コロ５、第二偏芯コロ７は必要調整量が異なる構成となっている。その場合、必要調整量が大きい方に合わせ同じコロを使用するという構成も考えられるが、角度当たりの調整量が敏感になることや、過大に偏芯コロを回転させてしまうといった問題点があり好ましくない。
【００１５】
次に本発明の特徴である、コロの誤組防止構造について説明する。
【００１６】
図５は本発明の特徴である二種類のコロの単独図となっている。前述のように第一偏芯コロ５は非偏芯径５a、偏芯径５bが設けられており偏芯径５bは非偏芯径５aに対して偏芯している。第二偏芯コロ７は非偏芯径７a、偏芯径７bが設けられており偏芯径７bは非偏芯径７aに対して偏芯している。
【００１７】
第一偏芯コロ５の偏芯径５a、第二偏芯コロ７の非偏芯径７aの関係は非偏芯径５aの方が大きくなっている。また、第一偏芯コロ５の偏芯径５b、第二偏芯コロの偏芯径７bの関係は偏芯径５bの方が小さくされている。第一偏芯コロ５の非偏芯径５a、第二偏芯コロ７の非偏芯径７aが嵌るレンズ鏡筒３のコロ座穴３a、第一偏芯コロ５の偏芯径５b、第二偏芯コロ７の偏芯径７bが嵌る固定筒４の長穴４a、長穴４bも同様の関係となっている。前述の関係とすることで第一偏芯コロ５、第二偏芯コロ７を逆に組もうとしてしまった場合、第一偏芯コロ５の５aはレンズ鏡筒３の３bと干渉し、第二偏芯コロ７の７bは固定筒４の４aと干渉する。よって、異なる箇所に偏芯コロを組んでしまい不良製品を出のを防ぐことができる。なお、第一偏芯コロ５と第二偏芯コロ７の径の関係は逆であってもかまわない。
【００１８】
以上、本発明の好ましい実施形態について説明したが、本発明はこれらの実施形態に限定されず、その要旨の範囲内で種々の変形及び変更が可能である。
【符号の説明】
【００１９】
３    レンズ鏡筒
３a   第一偏芯コロのコロ座
３b   第二偏芯コロのコロ座
４    固定筒
４a   第一偏芯コロの径合長穴
４b   第二偏芯コロの径合長穴
５    第一偏芯コロ
５a   第一偏芯コロの非偏芯部
５b   第一偏芯コロの偏芯部
７    第二偏芯コロ
７a   第二偏芯コロの非偏芯部
７b   第二偏芯コロの偏芯部
【図１】
2013037306.tif 000003
【図２】
2013037306.tif 000004
【図３】
2013037306.tif 000005
【図４】
2013037306.tif 000006
【図５】
2013037306.tif 000007